(57)【要約】【課題】負荷の動作が不意に停止することがない保護装置、及び、該保護装置を備える電源システムを提供する。【解決手段】保護装置１１において、メインスイッチ２０から負荷１３に向かう順方向の電圧が端子Ｔ１及び導体１４間に印加された場合、サブスイッチ２１はオフであり、電流がダイオードＤ１及びコンデンサＣ１の順に流れる。これにより、コンデンサＣ１は蓄電し、メインスイッチ２０はオンとなる。順方向の電圧が低下した場合であっても、ダイオードＤ２の作用により、コンデンサＣ１は放電することはないため、メインスイッチ２０はオンに維持される。負荷１３からメインスイッチ２０に向かう逆方向の電圧が端子Ｔ１及び導体１４間に印加された場合、サブスイッチ２１はオンとなり、コンデンサＣ１は放電する。これにより、メインスイッチ２０はオフとなる。【選択図】図２
2017131040.tif 000002
【特許請求の範囲】
【請求項１】
電流が出力される出力端子に負荷の一端子が接続される第１スイッチを備え、該負荷から前記第１スイッチに向かう特定方向の電圧印加から前記負荷を保護する保護装置において、
前記第１スイッチは、制御端子を有し、前記出力端子の電位を基準とした前記制御端子の電圧が負の閾値未満である場合にオンになり、該電圧が前記閾値以上である場合にオフになるように構成されており、
電流が入力される前記第１スイッチの入力端子にアノードが接続され、前記出力端子にカソードが接続される第１ダイオードと、
前記制御端子及び出力端子間に接続されるコンデンサと、
該制御端子にアノードが接続され、前記負荷の他端子にカソードが接続される第２ダイオードと、
該第２ダイオードのアノード及びカソード間に接続され、前記特定方向に電圧が印加された場合にオンとなり、前記特定方向の反対方向に電圧が印加された場合にオフとなる第２スイッチと
を備えることを特徴とする保護装置。
【請求項２】
前記第１スイッチ及び第２スイッチ夫々は半導体スイッチであり、
前記第１ダイオード及び第２ダイオード夫々は、前記第１スイッチ及び第２スイッチの寄生ダイオードであること
を特徴とする請求項１に記載の保護装置。
【請求項３】
前記第２スイッチは、第２の制御端子を有し、前記負荷の前記他端子に接続される接続端子の電位を基準とした前記第２の制御端子の電圧が負の第２の閾値未満である場合にオンになるように構成されており、
前記特定方向の電圧を分圧し、分圧した電圧を前記第２スイッチの制御端子に印加する分圧回路を備えること
を特徴とする請求項１又は請求項２に記載の保護装置。
【請求項４】
前記請求項１から請求項３のいずれか１つに記載の保護装置と、
前記負荷と、
前記保護装置を介して前記負荷に電圧を印加するバッテリと
を備えることを特徴とする電源システム。
【発明の詳細な説明】
【技術分野】
【０００１】
本発明は、特定方向の電圧印加から負荷を保護する保護装置、及び、該保護装置を備える電源システムに関する。
【背景技術】
【０００２】
車両には、バッテリが負荷に一方向の電圧を印加する電源システムが搭載されている。このような電源システムの中には、誤ったバッテリの接続によって生じる他方向の電圧印加から負荷を保護する保護装置を備える電源システムがある。特許文献１には、他方向の電圧印加から負荷を保護する従来の保護装置が開示されている。
【０００３】
図５は従来の保護装置８の回路図である。従来の保護装置８は、半導体スイッチ８０、コンデンサＣ８、ダイオードＤ８及び抵抗Ｒ８を備える。半導体スイッチ８０はＰチャネル型のＦＥＴ(Field Effect Transistor)である。
【０００４】
半導体スイッチ８０において、ドレインは端子Ｚ１に接続され、ソースは負荷９の一端子に接続されている。負荷９の他端子は端子Ｚ２に接続されている。半導体スイッチ８０のドレイン及びソース夫々は、ダイオードＤ８のアノード及びカソードに接続されている。半導体スイッチ８０のゲート及びソース間にコンデンサＣ８が接続されている。半導体スイッチ８０のゲートは、更に、抵抗Ｒ８の一端子に接続され、抵抗Ｒ８の他端子は端子Ｚ２に接続されている。
【０００５】
端子Ｚ１から端子Ｚ２に向かう一方向の電圧が端子Ｚ１，Ｚ２間に印加された場合、端子Ｚ２の電位を基準として端子Ｚ１の電圧が正であり、電流がダイオードＤ８及びコンデンサＣ８の順に流れ、コンデンサＣ８に電力が蓄えられる。コンデンサＣ８に蓄えている電力が一定電力以上となった場合、半導体スイッチ８０において、ソースの電位を基準としたゲートの電圧が負の所定電圧未満となり、半導体スイッチ８０はオンとなる。これにより、負荷９に一方向の電圧が印加される。
【０００６】
端子Ｚ２から端子Ｚ１に向かう他方向の電圧が端子Ｚ１，Ｚ２間に印加された場合、端子Ｚ２の電位を基準とした端子Ｚ１の電圧は負であり、コンデンサＣ８は放電する。電流は抵抗Ｒ８及びコンデンサＣ８の順に流れる。コンデンサＣ８の放電により、コンデンサＣ８の両端間の電圧が低下するので、半導体スイッチ８０において、ソースの電位を基準としたゲートの電圧は略ゼロＶとなるまで上昇する。半導体スイッチ８０において、ソースの電位を基準としたゲートの電圧は負の所定電圧以上となった場合、半導体スイッチ８０はオフとなる。このため、負荷９に他方向の電圧が印加されることはなく、他方向の電圧印加から負荷９が保護される。
【０００７】
更に、一方向の電圧が端子Ｚ１，Ｚ２間に印加されている場合において、一方向の電圧が低下したとき、端子Ｚ２の電位を基準とした半導体スイッチ８０のソースの電圧が低下する。このとき、コンデンサＣ８に電力が蓄えられているため、端子Ｚ２の電位を基準とした半導体スイッチ８０のゲートの電圧も低下する。結果、半導体スイッチ８０において、ソースの電位を基準としたゲートの電圧は、一定期間、所定電圧未満に維持され、半導体スイッチ８０がオフになることはない。
【先行技術文献】
【特許文献】
【０００８】
【特許文献１】特開２００３−３７９３３号公報
【発明の概要】
【発明が解決しようとする課題】
【０００９】
しかしながら、従来の保護装置８では、一方向の電圧が低下した場合、半導体スイッチ８０のソースの電位が低下するため、コンデンサＣ８は放電する。これにより、電流が抵抗Ｒ８及びコンデンサＣ８の順に流れる。
【００１０】
コンデンサＣ８が放電した場合、前述したように、半導体スイッチ８０において、ソースの電位を基準としたゲートの電圧が上昇する。このため、半導体スイッチ８０がオンに維持される期間は、半導体スイッチ８０において、ソースの電位を基準としたゲートの電圧が所定電圧以上となるまでの期間である。通常、コンデンサＣ８として、静電容量が小さいコンデンサが用いられるため、半導体スイッチ８０がオンに維持されている期間は短い。
【００１１】
以上のことから、従来の保護装置８には、一方向の電圧が長期間、低い状態に維持された場合、半導体スイッチ８０がオフとなり、負荷９の動作が不意に停止する虞がある。
【００１２】
本発明は斯かる事情に鑑みてなされたものであり、その目的とするところは、負荷の動作が不意に停止することがない保護装置、及び、該保護装置を備える電源システムを提供することにある。
【課題を解決するための手段】
【００１３】
本発明に係る保護装置は、電流が出力される出力端子に負荷の一端子が接続される第１スイッチを備え、該負荷から前記第１スイッチに向かう特定方向の電圧印加から前記負荷を保護する保護装置において、前記第１スイッチは、制御端子を有し、前記出力端子の電位を基準とした前記制御端子の電圧が負の閾値未満である場合にオンになり、該電圧が前記閾値以上である場合にオフになるように構成されており、電流が入力される前記第１スイッチの入力端子にアノードが接続され、前記出力端子にカソードが接続される第１ダイオードと、前記制御端子及び出力端子間に接続されるコンデンサと、該制御端子にアノードが接続され、前記負荷の他端子にカソードが接続される第２ダイオードと、該第２ダイオードのアノード及びカソード間に接続され、前記特定方向に電圧が印加された場合にオンとなり、前記特定方向の反対方向に電圧が印加された場合にオフとなる第２スイッチとを備えることを特徴とする。
【００１４】
本発明にあっては、負荷から第１スイッチに向かう特定方向の反対方向の電圧が第１スイッチの入力端子と負荷の他端子との間に印加された場合、第２スイッチはオフとなる。そして、第１ダイオード及びコンデンサの順に電流が流れ、コンデンサに電力が蓄えられる。これにより、第１スイッチの出力端子の電位を基準とした第１スイッチの制御端子の電圧は負の閾値未満となり、第１スイッチはオンとなる。これにより、負荷に反対方向の電圧が印加される。
負荷に電力を供給するために、第１スイッチの入力端子と負荷の他端子との間に印加すべき電圧の方向、即ち、順方向が特定方向の反対方向に相当し、順方向の逆方向が特定方向に相当する。
【００１５】
特定方向の電圧が第１スイッチの入力端子と負荷の他端子との間に印加された場合、第２スイッチがオンとなる。第２スイッチがオンとなった場合、コンデンサは放電し、第１スイッチにおいてソースの電位を基準としたゲートの電圧がゼロＶとなるまで上昇する。第１スイッチにおいてソースの電位を基準としたゲートの電圧が負の閾値以上となった場合、第１スイッチはオフとなる。このため、負荷に特定方向の電圧が印加されることはなく、負荷は特定方向の電圧印加から保護される。
【００１６】
また、特定方向の反対方向の電圧が低下した場合においては、コンデンサＣ８に電力が蓄えられているため、第２スイッチにおいて出力端子の電位を基準とした制御端子の電圧は閾値未満であり、第２スイッチはオンである。更に、第２ダイオードによってコンデンサＣ８の放電が防止されているため、第１スイッチにおける制御端子及び出力端子間の電圧は維持される。従って、特定方向の反対方向の電圧が、長期間、低い状態に維持された場合であっても、第１スイッチがオンからオフになることはなく、負荷の動作が不意に停止することはない。
【００１７】
本発明に係る保護装置は、前記第１スイッチ及び第２スイッチ夫々は半導体スイッチであり、前記第１ダイオード及び第２ダイオード夫々は、前記第１スイッチ及び第２スイッチの寄生ダイオードであることを特徴とする。
【００１８】
本発明にあっては、第１スイッチ及び第２スイッチとして半導体スイッチを用い、半導体スイッチの寄生ダイオードを第１ダイオード及び第２ダイオードとして用いる。このため、製造費用が安価である。
【００１９】
本発明に係る保護装置は、前記第２スイッチは、第２の制御端子を有し、前記負荷の前記他端子に接続される接続端子の電位を基準とした前記第２の制御端子の電圧が負の第２の閾値未満である場合にオンになるように構成されており、前記特定方向の電圧を分圧し、分圧した電圧を前記第２スイッチの制御端子に印加する分圧回路を備えることを特徴とする。
【００２０】
本発明にあっては、特定方向の電圧が第１スイッチの入力端子と負荷の他端子との間に印加された場合、分圧回路は、特定方向の電圧を分圧し、分圧した電圧を第２スイッチの制御端子に印加する。このとき、負荷の他端子には特定方向の電圧が印加されているので、接続端子の電位を基準とした第２の制御端子の電圧は負の第２の閾値未満となり、第２スイッチはオンになる。分圧回路は例えば２つの抵抗で構成されるため、装置の構成が簡単である。
【００２１】
本発明に係る電源システムは、前述した保護装置と、前記負荷と、前記保護装置を介して前記負荷に電圧を印加するバッテリとを備えることを特徴とする。
【００２２】
本発明にあっては、バッテリは保護装置を介して負荷に電圧を印加し、負荷に電力を供給する。
【発明の効果】
【００２３】
本発明によれば、負荷の動作が不意に停止することがない。
【図面の簡単な説明】
【００２４】
【図１】本実施の形態における電源システムの要部構成を示すブロック図である。
【図２】保護装置の回路図である。
【図３】メインスイッチ及びサブスイッチのオンオフ状態を示す図表である。
【図４】保護装置の動作の説明図である。
【図５】従来の保護装置の回路図である。
【発明を実施するための形態】
【００２５】
以下、本発明をその実施の形態を示す図面に基づいて詳述する。
図１は本実施の形態における電源システム１の要部構成を示すブロック図である。電源システム１は、好適に車両に搭載されており、バッテリ１０、保護装置１１、スタータ１２、負荷１３及び導体１４を備える。バッテリ１０は端子Ｔ１，Ｔ２間に接続される。端子Ｔ１には、保護装置１１とスタータ１２の一端子とが接続されている。端子Ｔ２とスタータ１２の他端子とは導体１４に接続されている。保護装置１１は、更に、負荷１３の一端子と、導体１４とに接続されている。負荷１３の他端子も導体１４に接続されている。導体１４は例えば車両のボディである。
【００２６】
電源システム１において、バッテリ１０の正極及び負極が端子Ｔ１，Ｔ２に接続された状態は、バッテリ１０が正常に接続された状態であり、バッテリ１０の正極及び負極が端子Ｔ２，Ｔ１に接続された状態は、バッテリ１０が誤って逆に接続された状態である。
【００２７】
バッテリ１０の接続が正常接続である場合、バッテリ１０は、保護装置１１を介して負荷１３に電力を供給すると共に、スタータ１２に電力を供給する。このとき、負荷１３には、保護装置１１から負荷１３に向かう順方向に電圧がバッテリ１０によって印加される。電流は、バッテリ１０の正極から保護装置１１、負荷１３及び導体１４の順に流れ、バッテリ１０の負極に戻る。更に、電流は、バッテリ１０の正極からスタータ１２及び導体１４の順に流れ、バッテリ１０の負極に戻る。
【００２８】
スタータ１２は車両の図示しないエンジンを始動させるためのモータであり、負荷１３は例えば直流モータである。スタータ１２及び負荷１３夫々は、バッテリ１０から供給された電力を用いて作動する。
【００２９】
バッテリ１０の接続が逆接続である場合、保護装置１１は、端子Ｔ１と負荷１３の一端子との接続を遮断し、順方向の逆方向、即ち、負荷１３から保護装置１１に向かう方向の電圧印加から負荷１３を保護する。逆方向は特定方向に相当し、順方向は特定方向の反対方向に相当する。
【００３０】
図２は保護装置１１の回路図である。保護装置１１は、メインスイッチ２０、サブスイッチ２１、分圧回路２２、コンデンサＣ１、ダイオードＤ１，Ｄ２，Ｄ３及び抵抗Ｒ１を有する。分圧回路２２は抵抗Ｒ２，Ｒ３を有する。メインスイッチ２０及びサブスイッチ２１夫々は、Ｐチャネル型のＦＥＴであり、端子として、ドレイン、ソース及びゲートを有する。ダイオードＤ１，Ｄ２夫々はメインスイッチ２０及びサブスイッチ２１の寄生ダイオードである。
【００３１】
端子Ｔ１には、メインスイッチ２０のドレインと、ダイオードＤ１のアノードとが接続される。メインスイッチ２０のソースには、負荷１３の一端子と、ダイオードＤ１のカソードとが接続される。メインスイッチ２０のゲート及びソース間にコンデンサＣ１が接続される。メインスイッチ２０のゲートは、更に、抵抗Ｒ１を介して、サブスイッチ２１のドレインと、ダイオードＤ２のアノードとに接続される。サブスイッチ２１のソースには、導体１４と、ダイオードＤ２のカソードとが接続される。負荷１３の他端子は導体１４に接続されるので、サブスイッチ２１のソース、及び、ダイオードＤ２のカソード夫々は、導体１４を介して、負荷１３の他端子に接続される。
【００３２】
サブスイッチ２１のソースは、更に、分圧回路２２の抵抗Ｒ３の一端子に接続される。抵抗Ｒ３の他端子は、サブスイッチ２１のゲートと、分圧回路２２の抵抗Ｒ２の一端子とに接続される。抵抗Ｒ２の他端子はダイオードＤ３のアノードに接続され、ダイオードＤ３のカソードは端子Ｔ１に接続される。
【００３３】
メインスイッチ２０は、ソースの電位を基準としたゲートの電圧が閾値未満である場合にオンになり、ソースの電位を基準としたゲートの電圧が閾値以上である場合にオフとなる。同様に、サブスイッチ２１は、ソースの電位を基準としたゲートの電圧が第２の閾値未満である場合にオンになり、ソースの電位を基準としたゲートの電圧が閾値以上である場合にオフとなる。閾値及び第２の閾値夫々は負である。
【００３４】
図３はメインスイッチ２０及びサブスイッチ２１のオンオフ状態を示す図表である。バッテリ１０の接続が正常接続である場合、即ち、メインスイッチ２０から負荷１３に向かう順方向の電圧が端子Ｔ１，Ｔ２間に印加されている場合、ダイオードＤ３のカソードが端子Ｔ１に接続されているので、端子Ｔ１からダイオードＤ３を介して分圧回路２２の抵抗Ｒ２，Ｒ３に電流が流れることはなく、抵抗Ｒ３の両端子間の電圧は略ゼロＶである。このため、サブスイッチ２１において、ソースの電位を基準としたゲートの電圧は、略ゼロＶであり、負の閾値以上である。従って、バッテリ１０の接続が正常接続である場合、サブスイッチ２１はオフである。
【００３５】
バッテリ１０の接続が正常接続である場合、更に、電流が端子Ｔ１からダイオードＤ１、コンデンサＣ１、抵抗Ｒ１、ダイオードＤ２の順に流れ、コンデンサＣ１に電力が蓄えられる。コンデンサＣ１に蓄えられている電力が上昇した場合、メインスイッチ２０において、ソースの電位を基準としたゲートの電圧が低下する。コンデンサＣ１が蓄えている電力が一定電力以上となった場合、メインスイッチ２０において、ソースの電位を基準としたゲートの電圧は負の閾値未満となり、メインスイッチ２０はオンとなる。
【００３６】
コンデンサＣ１は、端子Ｔ２の電位を基準としたメインスイッチ２０のソースの電圧がバッテリ１０の出力電圧となるまで、蓄電を継続する。端子Ｔ２の電位を基準としたメインスイッチ２０のソースの電圧がバッテリ１０の出力電圧となった場合、コンデンサＣ１は蓄電を終了し、その後、コンデンサＣ１を介して抵抗Ｒ１及びサブスイッチ２１に電流が流れることはない。
【００３７】
メインスイッチ２０がオンとなった場合、バッテリ１０は、メインスイッチ２０を介して負荷１３に順方向の電圧を印加し、負荷１３に電力を供給する。このとき、メインスイッチ２０においては、電流が、ドレインに入力され、ソースから出力される。
【００３８】
メインスイッチ２０は第１スイッチとして機能し、メインスイッチ２０のゲート、ドレイン及びソース夫々は、制御端子、入力端子及び出力端子として機能する。また、サブスイッチ２１は第２スイッチとして機能し、サブスイッチ２１のゲート及びソース夫々は、第２の制御端子及び接続端子として機能する。ダイオードＤ１，Ｄ２夫々は第１ダイオード及び第２ダイオードとして機能する。
【００３９】
バッテリ１０の接続が逆接続である場合、即ち、負荷１３からメインスイッチ２０に向かう逆方向の電圧が端子Ｔ１，Ｔ２間に印加された場合、電流が、端子Ｔ２から導体１４、抵抗Ｒ３，Ｒ２、ダイオードＤ３及び端子Ｔ１の順に流れる。このとき、逆方向の電圧、即ち、バッテリ１０の出力電圧がサブスイッチ２１のソースに印加され、分圧回路２２の抵抗Ｒ２，Ｒ３は逆方向の電圧を分圧する。分圧回路２２の抵抗Ｒ２，Ｒ３は、分圧した電圧をサブスイッチ２１のゲートに印加する。サブスイッチ２１において、以上のようにゲート及びソースに電圧が印加された場合、ソースの電位を基準としたゲートの電圧は負の第２の閾値未満となり、サブスイッチ２１はオンとなる。
【００４０】
バッテリ１０の接続が逆接続である場合、更に、コンデンサＣ１は放電し、電流が、サブスイッチ２１、抵抗Ｒ１及びコンデンサＣ１の順に流れる。コンデンサＣ１が放電した場合、メインスイッチ２０において、ソースの電位を基準としたゲートの電圧がゼロＶまで上昇する。メインスイッチ２０において、ソースの電位を基準としたゲートの電圧が負の閾値以上となった場合、メインスイッチ２０はオフとなる。これにより、端子Ｔ１と負荷１３との接続が遮断されるので、負荷１３に逆方向の電圧が印加されることはなく、逆方向の電圧印加から負荷１３が保護される。
【００４１】
なお、メインスイッチ２０において、ソースの電位を基準としたゲートの電圧が負の閾値以上となった後においても、コンデンサＣ１は、コンデンサＣ１の両端間の電圧がゼロＶとなるまで放電を継続する。このときも、電流は、サブスイッチ２１、抵抗Ｒ１及びコンデンサＣ１の順に流れる。
【００４２】
図４は保護装置１１の動作の説明図である。前述したように、バッテリ１０の接続が正常接続である場合、バッテリ１０はスタータ１２に電力を供給する。このとき、バッテリ１０からスタータ１２に大きな電流が流れる。バッテリ１０では、内部抵抗を介してスタータ１２に電流が流れる。バッテリ１０から大きな電流が流れた場合、内部抵抗で生じる電圧降下の幅は大きく、バッテリ１０の出力電圧、即ち、端子Ｔ１，Ｔ２間に印加されている順方向の電圧は低下する。以下では、順方向の電圧が低下した場合における保護装置１１の動作を説明する。この動作説明では、バッテリ１０の接続が正常接続であることが前提であるため、サブスイッチ２１はオフである。
【００４３】
図４には、バッテリ１０の出力電圧Ｖｂ、端子Ｔ２の電位を基準としたメインスイッチ２０のゲートの電圧Ｖｇ、端子Ｔ２の電位を基準としたソースの電圧Ｖｓ、及び、メインスイッチ２０においてゲートの電位を基準としたソースの電圧Ｖｇｓ（＝Ｖｇ−Ｖｓ）の推移が示されている。縦軸は電圧を示し、横軸は時間を示している。前述したように、メインスイッチ２０は、電圧Ｖｇｓが負の閾値Ｖｔｈ未満である場合、オンであり、電圧Ｖｇｓが閾値Ｖｔｈ以上である場合、オフである。
【００４４】
バッテリ１０の接続が正常接続である場合において、スタータ１２が作動していないとき、前述したように、電流がダイオードＤ１及びコンデンサＣ１の順に流れ、コンデンサＣ１に電力が蓄えられる。コンデンサＣ１が蓄電を終了した場合、電圧Ｖｇは略ゼロＶである。電圧Ｖｓは、バッテリ１０の出力電圧Ｖｂと略一致しており、電圧Ｖｇよりも十分に高いため、電圧Ｖｇｓは負の閾値Ｖｔｈ未満であり、メインスイッチ２０はオンである。
【００４５】
バッテリ１０の接続が正常接続である場合において、スタータ１２が作動したとき、前述したように、バッテリ１０の出力電圧Ｖｂが低下する。これにより、電圧Ｖｓも低下する。このとき、コンデンサＣ１に電力が蓄えられているため、電圧Ｖｇも低下する。電圧Ｖｇの低下幅は電圧Ｖｓの低下幅と略一致している。例えば、電圧Ｖｓが３Ｖだけ低下した場合、電圧ＶｇはゼロＶから−３Ｖに低下する。このため、スタータ１２が作動してバッテリ１０の出力電圧Ｖｂが低下した場合であっても、電圧Ｖｇｓは負の閾値Ｖｔｈ未満に維持され、メインスイッチ２０はオンに維持される。
【００４６】
電圧Ｖｓが低下した場合であっても、ダイオードＤ２が設けられているため、コンデンサＣ１を介して電流が流れる電流経路が存在せず、コンデンサＣ１が放電することはない。このため、電圧Ｖｓが低下した場合であっても、コンデンサＣ１の両端間の電圧は維持される。このため、スタータ１２が作動して、長期間、電圧Ｖｂ，Ｖｓが低い状態に維持された場合であっても、メインスイッチ２０がオンからオフになることはなく、負荷１３が不意に停止することはない。
【００４７】
スタータ１２が動作を停止した場合、バッテリ１０の出力電圧Ｖｂは上昇する。このとき、電圧Ｖｓ，Ｖｇの両方が上昇する。電圧Ｖｓの上昇幅は電圧Ｖｇの上昇幅と略同じであるため、電圧Ｖｇｓは負の閾値Ｖｔｈ未満に維持される。従って、スタータ１２が動作を停止した後もメインスイッチ２０はオンに維持される。
【００４８】
以上のように構成された保護装置１１においては、ダイオードＤ１，Ｄ２夫々として、メインスイッチ２０及びサブスイッチ２１の寄生ダイオードが用いられているため、保護装置１１の製造費用は安価である。
更に、前述したように、バッテリ１０の接続が逆接続である場合においては、分圧回路２２は、逆方向の電圧を分圧し、分圧した電圧をサブスイッチ２１のゲートに印加し、サブスイッチ２１をオンにする。分圧回路２２は抵抗Ｒ２，Ｒ３によって構成されるため、保護装置１１の構成が簡単である。
【００４９】
なお、バッテリ１０の接続が逆接続である場合にサブスイッチ２１をオンにする構成は、分圧回路２２が逆方向の電圧を分圧し、分圧した電圧をサブスイッチ２１のゲートに印加する構成に限定されない。保護装置１１は、例えば、バッテリ１０の逆接続を検知した場合にサブスイッチ２１をオンにし、バッテリ１０の正常接続を検知した場合にサブスイッチ２１をオフにする制御回路を備えていてもよい。
【００５０】
メインスイッチ２０は、半導体スイッチであればよいため、Ｐチャネル型のＦＥＴに限定されず、例えばＰＮＰ型のバイポーラトランジスタであってもよい。この場合、メインスイッチ２０に寄生ダイオードが形成されることはないため、ダイオードＤ１は、メインスイッチ２０とは別に設けられる。同様に、サブスイッチ２１も、半導体スイッチであればよいため、Ｐチャネル型のＦＥＴに限定されず、例えばＰＮＰ型のバイポーラトランジスタであってもよい。この場合、サブスイッチ２１に寄生ダイオードが形成されることはないため、ダイオードＤ２は、サブスイッチ２１とは別に設けられる。
【００５１】
開示された本実施の形態は全ての点で例示であって、制限的なものではないと考えられるべきである。本発明の範囲は、上記した意味ではなく、特許請求の範囲によって示され、特許請求の範囲と均等の意味及び範囲内での全ての変更が含まれることが意図される。
【符号の説明】
【００５２】
１  電源システム
１０  バッテリ
１１  保護装置
１３  負荷
２０  メインスイッチ（第１スイッチ）
２１  サブスイッチ（第２スイッチ）
２２  分圧回路
Ｃ１  コンデンサ
Ｄ１  ダイオード（第１ダイオード）
Ｄ２  ダイオード（第２ダイオード）
【図１】
2017131040.tif 000003
【図２】
2017131040.tif 000004
【図３】
2017131040.tif 000005
【図４】
2017131040.tif 000006
【図５】
2017131040.tif 000007